【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
端末からウェブサーバに格納済みの電話帳データにアクセスし、前記電話帳データを当該端末上に表示し、
端末上に表示した前記電話帳データのうち宛先とする個人データを選択することにより、当該個人データの表示に使用したｈｔｍｌ文書のファイル名に対応するＩＰ電話サービスのＵＲＩ又は当該ＵＲＩに含まれる電話番号をＥＮＵＭサーバに要求し、
前記ＥＮＵＭサーバがｈｔｍｌ文書のファイル名を用いてＮＡＰＴＲリソースレコードから検索したＩＰ電話サービスのＵＲＩ又は当該ＵＲＩに含まれる電話番号を応答し、
ＩＰ電話装置が前記ＥＮＵＭサーバから応答された内容に基づいて呼接続を要求するメッセージをＩＰネットワーク上に送出することを特徴とするＩＰ電話システムにおける発呼方法。
【請求項２】
前記ＥＮＵＭサーバは、前記ｈｔｍｌ文書のファイル名をＮＡＰＴＲリソースレコードのＵＲＩとして登録しているＥＮＵＭドメイン名を逆検索し、検索したＥＮＵＭドメイン名のＮＡＰＴＲリソースレコードとして登録されたＩＰ電話サービスのＵＲＩ又は当該ＵＲＩに含まれる電話番号を応答することを特徴とする請求項１記載のＩＰ電話システムにおける発呼方法。
【請求項３】
前記ウェブサーバは、前記端末からアクセスされる際に前記端末の認証を行い、認証された前記端末に予め対応付けられたＩＰ電話装置に対し、前記ＥＮＵＭサーバが検索したＩＰ電話サービスのＵＲＩ又は当該ＵＲＩに含まれる電話番号を通知することを特徴とする請求項１記載のＩＰ電話システムにおける発呼方法。
【請求項４】
ウェブサーバに接続する端末と、当該端末に関連付けられたＩＰ電話装置と、ＥＮＵＭドメイン名に対応するＮＡＰＴＲリソースレコードを格納するＥＮＵＭサーバとからなるＩＰ電話システムであって、
前記端末は、前記ウェブサーバに登録している個人登録情報にアクセスし、個人登録情報を元に当該端末上に個人データを表示する表示手段と、表示した個人データを前記端末上で選択することにより、前記ウェブサーバを介して当該個人データの表示に使用したｈｔｍｌ文書のファイル名に対応するＩＰ電話サービスのＵＲＩ又は当該ＵＲＩに含まれる電話番号をＥＮＵＭサーバに要求する要求手段とを備え、
前記ＥＮＵＭサーバは、前記ｈｔｍｌ文書のファイル名を用いてＮＡＰＴＲリソースレコードからＩＰ電話サービスのＵＲＩ又は当該ＵＲＩに含まれる電話番号を検索する検索手段と、検索したＩＰ電話サービスのＵＲＩ又は当該ＵＲＩに含まれる電話番号を要求元に応答する応答手段とを備え、
前記ＩＰ電話装置は、前記ＥＮＵＭサーバが検索したＩＰ電話サービスのＵＲＩ又は当該ＵＲＩに含まれる電話番号を受信する受信手段と、受信したＵＲＩ又はＵＲＩに含まれる電話番号を宛先として呼接続を要求するメッセージをＩＰネットワーク上に送出する発呼手段とを備えたＩＰ電話システム。
【請求項５】
前記ウェブサーバに登録している個人登録情報は電話帳データであり、各個人データはｈｔｍｌ文書で構成されることを特徴とする請求項４記載のＩＰ電話システム。
【請求項６】
前記端末は、ウェブサーバ上の電話帳検索システムにアクセスし、検索条件を与えて電話帳データの中から検索条件に合致した個人データを取り出すことを特徴とする請求項５記載のＩＰ電話システム。
【請求項７】
前記ＥＮＵＭサーバの前記検索手段は、前記ｈｔｍｌ文書のファイル名をＮＡＰＴＲリソースレコードのＵＲＩとして登録しているＥＮＵＭドメイン名を逆検索してから、検索したＥＮＵＭドメイン名のＮＡＰＴＲリソースレコードとして登録されたＩＰ電話サービスのＵＲＩ又は当該ＵＲＩに含まれる電話番号を検索することを特徴とする請求項４記載のＩＰ電話システム。
【請求項８】
前記ウェブサーバは、前記端末からアクセスされる際に前記端末に予め対応付けられたＩＰ電話装置を識別する識別手段と、前記ＥＮＵＭサーバが検索したＩＰ電話サービスのＵＲＩ又は当該ＵＲＩに含まれる電話番号を前記識別手段により識別したＩＰ電話装置に送信する送信手段とを備えた請求項４記載のＩＰ電話システム。
【手続補正２】
【補正対象書類名】明細書
【補正対象項目名】０００６
【補正方法】変更
【補正の内容】
【０００６】
本発明は、端末からウェブサーバに格納済みの電話帳データにアクセスし、前記電話帳データを当該端末上に表示し、端末上に表示した前記電話帳データのうち宛先とする個人データを選択することにより、当該個人データの表示に使用したｈｔｍｌ文書のファイル名に対応するＩＰ電話サービスのＵＲＩ又は当該ＵＲＩに含まれる電話番号をＥＮＵＭサーバに要求し、前記ＥＮＵＭサーバがｈｔｍｌ文書のファイル名を用いてＮＡＰＴＲリソースレコードから検索したＩＰ電話サービスのＵＲＩ又は当該ＵＲＩに含まれる電話番号を応答し、ＩＰ電話装置が前記ＥＮＵＭサーバから応答された内容に基づいて呼接続を要求するメッセージをＩＰネットワーク上に送出するものとした。
【手続補正３】
【補正対象書類名】明細書
【補正対象項目名】０００８
【補正方法】変更
【補正の内容】
【０００８】
本発明の第１の態様は、端末からウェブサーバに格納済みの電話帳データにアクセスし、前記電話帳データを当該端末上に表示し、端末上に表示した前記電話帳データのうち宛先とする個人データを選択することにより、当該個人データの表示に使用したｈｔｍｌ文書のファイル名に対応するＩＰ電話サービスのＵＲＩ又は当該ＵＲＩに含まれる電話番号をＥＮＵＭサーバに要求し、前記ＥＮＵＭサーバがｈｔｍｌ文書のファイル名を用いてＮＡＰＴＲリソースレコードから検索したＩＰ電話サービスのＵＲＩ又は当該ＵＲＩに含まれる電話番号を応答し、ＩＰ電話装置が前記ＥＮＵＭサーバから応答された内容に基づいて呼接続を要求するメッセージをＩＰネットワーク上に送出するものである。
【手続補正４】
【補正対象書類名】明細書
【補正対象項目名】０００９
【補正方法】変更
【補正の内容】
【０００９】
このように構成されたＩＰ電話システムの発呼方法によれば、端末上に表示した個人データをクリックすることにより、通話相手のＩＰ電話サービスのＵＲＩ又は当該ＵＲＩに含まれる電話番号をＥＮＵＭサーバに要求し、ＥＮＵＭサーバが検索した通話相手のＩＰ電話サービスのＵＲＩ又は当該ＵＲＩに含まれる電話番号をＩＰ電話装置で受信するので、受信した電話番号を相手電話番号に指定して呼接続を要求することができる。
本発明の第２の態様は、第１の態様の発呼方法において、前記ＥＮＵＭサーバは、前記ｈｔｍｌ文書のファイル名をＮＡＰＴＲリソースレコードのＵＲＩとして登録しているＥＮＵＭドメイン名を逆検索し、検索したＥＮＵＭドメイン名のＮＡＰＴＲリソースレコードとして登録されたＩＰ電話サービスのＵＲＩ又は当該ＵＲＩに含まれる電話番号を応答するものである。
本発明の第３の態様は、第１の態様の発呼方法において、前記ウェブサーバは、前記端末からアクセスされる際に前記端末の認証を行い、認証された前記端末に予め対応付けられたＩＰ電話装置に対し、前記ＥＮＵＭサーバが検索したＩＰ電話サービスのＵＲＩ又は当該ＵＲＩに含まれる電話番号を通知するものである。
【手続補正５】
【補正対象書類名】明細書
【補正対象項目名】００１０
【補正方法】変更
【補正の内容】
【００１０】
本発明の第４の態様は、ウェブサーバに接続する端末と、当該端末に関連付けられたＩＰ電話装置と、ＥＮＵＭドメイン名に対応するＮＡＰＴＲリソースレコードを格納するＥＮＵＭサーバとからなるＩＰ電話システムであって、前記端末は、前記ウェブサーバに登録している個人登録情報にアクセスし、個人登録情報を元に当該端末上に個人データを表示する表示手段と、表示した個人データを前記端末上で選択することにより、前記ウェブサーバを介して当該個人データの表示に使用したｈｔｍｌ文書のファイル名に対応するＩＰ電話サービスのＵＲＩ又は当該ＵＲＩに含まれる電話番号をＥＮＵＭサーバに要求する要求手段とを備え、前記ＥＮＵＭサーバは、前記ｈｔｍｌ文書のファイル名を用いてＮＡＰＴＲリソースレコードからＩＰ電話サービスのＵＲＩ又は当該ＵＲＩに含まれる電話番号を検索する検索手段と、検索したＩＰ電話サービスのＵＲＩ又は当該ＵＲＩに含まれる電話番号を要求元に応答する応答手段とを備え、前記ＩＰ電話装置は、前記ＥＮＵＭサーバが検索したＩＰ電話サービスのＵＲＩ又は当該ＵＲＩに含まれる電話番号を受信する受信手段と、受信したＵＲＩ又はＵＲＩに含まれる電話番号を宛先として呼接続を要求するメッセージをＩＰネットワーク上に送出する発呼手段とを備えたものである。
【手続補正６】
【補正対象書類名】明細書
【補正対象項目名】００１２
【補正方法】変更
【補正の内容】
【００１２】
本発明の第５の態様は、第４の態様のＩＰ電話システムにおいて、前記ウェブサーバに登録している個人登録情報は電話帳データであり、各個人データはｈｔｍｌ文書で構成されるものとした。
【手続補正７】
【補正対象書類名】明細書
【補正対象項目名】００１４
【補正方法】変更
【補正の内容】
【００１４】
本発明の第６の態様は、第５の態様のＩＰ電話システムにおいて、前記端末は、ウェブサーバ上の電話帳検索システムにアクセスし、検索条件を与えて電話帳データの中から検索条件に合致した個人データを取り出すこととした。
【手続補正８】
【補正対象書類名】明細書
【補正対象項目名】００１６
【補正方法】変更
【補正の内容】
【００１６】
本発明の第７の態様は、第４の態様のＩＰ電話システムにおいて、前記ＥＮＵＭサーバの前記検索手段は、前記ｈｔｍｌ文書のファイル名をＮＡＰＴＲリソースレコードのＵＲＩとして登録しているＥＮＵＭドメイン名を逆検索してから、検索したＥＮＵＭドメイン名のＮＡＰＴＲリソースレコードとして登録されたＩＰ電話サービスのＵＲＩ又は当該ＵＲＩに含まれる電話番号を検索するものである。
本発明の第８の態様は、第４の態様のＩＰ電話システムにおいて、前記ウェブサーバは、前記端末からアクセスされる際に前記端末に予め対応付けられたＩＰ電話装置を識別する識別手段と、前記ＥＮＵＭサーバが検索したＩＰ電話サービスのＵＲＩ又は当該ＵＲＩに含まれる電話番号を前記識別手段により識別したＩＰ電話装置に送信する送信手段とを備えたものである。